(57)【要約】【課題】本発明の課題は、複数機種のプリンタがプリントサーバを介してネットワーク接続されている環境において、ユーザが各パソコンから実行する印刷の内容を管理者が中央で印刷イメージ形態でモニターできる機能を、従来環境に大きな設備変更を伴わずわずまたユーザにも従来システムとの差異を意識させずに実現できるシステムを提供することにある。【解決手段】本発明のプリント情報安全管理システムは、複数のパソコンと複数のプリンタがプリントサーバを介してネットワーク接続された環境において、通常の印刷指令信号を受けると、アプリケーションによって作成されたファイルについて特定機種の印刷情報に変換する手段の動作と並行して印刷イメージに変換する手段と、前記印刷情報と共に該印刷イメージ情報をパッケージデータとして送信する機能を前記複数のパソコンに備えるものとした。【選択図】図２
2010140226.tif 000002
【特許請求の範囲】
【請求項１】
複数のパソコンと複数のプリンタがプリントサーバを介してネットワーク接続された環境において、通常の印刷指令信号を受けると、アプリケーションによって作成されたファイルについて特定機種の印刷情報に変換する手段の動作と並行して印刷イメージに変換する手段と、前記印刷情報と共に該印刷イメージ情報をパッケージデータとして送信する機能を前記複数のパソコンに備えたことを特徴とするプリント情報安全管理システム。
【請求項２】
管理者用のパソコンがプリントサーバに接続され、該プリントサーバにおける前記送信された印刷イメージ情報を拾ってモニター表示できる機能を備えた請求項１に記載のプリント情報安全管理システム。
【請求項３】
プリントサーバには印刷履歴情報を記録蓄積する蓄積部が接続され、管理者用のパソコンが印刷イメージ情報を拾う情報源は該印刷履歴情報蓄積部である請求項１に記載のプリント情報安全管理システム。
【請求項４】
ネットワーク接続されたパソコンは印刷情報と印刷イメージ情報に加え、テキスト情報をパッケージ信号として送信する機能を備えたものである請求項２乃至３に記載のプリント情報安全管理システム。
【請求項５】
テキスト情報はファイル全文及び／又はキーワード抽出情報である請求項４に記載のプリント情報安全管理システム。
【請求項６】
プリントサーバは送信されてきた印刷情報が所定頁数を越える場合には複数のプリンタに印刷ジョブを分配させるスプール機能を備えたものであって、指定されたプリンタと機種の異なるプリンタにはイメージ情報を送信することを特徴とする請求項１に記載のプリント情報安全管理システム。
【発明の詳細な説明】
【技術分野】
【０００１】
本発明は会社等の組織において組まれたネットワーク上でプリント情報を一括管理すると共に、印刷ジョブを円滑に行えるようにする技術に関する。
【背景技術】
【０００２】
近年の情報化社会では個人情報や企業情報等多くの機密情報が電子情報として関係部署に蓄積されている。これらの情報が、多種多様なネットワークや記録媒体を介して流出する事故や事件が頻発している。これらの機密情報は最終的にはプリンタによって紙面印刷され、人の目に触れることが多い。その場合、機密情報とはいえ、正規な利用の場合にはプリントされて利用者の目に触れる形態で提供される必要がある。ところが、正規の利用でない場合、オペレータの故意又は過失によって機密情報が他者の目に触れる形態で提供されてしまうことはあってはならないことであり、その予防は今社会的に強く要望されているところである。銀行、金融、証券、商品先物取引、不動産業界などにおける顧客情報、また、調査、コンサルト、教育業界などにおける個人情報および守秘義務情報、および、企業における技術情報、経営情報などを扱う広い分野の業務において、印刷物を介しての機密漏洩事故を防止するシステムの実現が強く望まれている。
【０００３】
組織内ネットワークは各ユーザの使用するパソコンがＬＡＮによって結合され、各パソコンで作成されたファイルは必要に応じて印刷情報がプリンタに送信され、プリント出力されるようになっている。その場合、一般には図４に示すようにネットワークにユーザの使用するパソコンPC1,PC2, PC3,‥‥PCNが接続され、それらを運用管理するプリントサーバ４を介して多種のプリンタＰa,Ｐb,Ｐc,‥‥Ｐiが接続されている。ユーザが使用するパソコンPCiから印刷指令を実行すると、プリントサーバ４を介して指定された機種のプリンタＰiに文書が情報が送信され、プリントアウトされる形態が採られている。プリンタは機種が異なれば使用する言語が異なるため異なる機種のプリンタではそのプリント情報は印刷できない。ユーザが印刷指令を実行したとき、パソコン内ではアプリケーション（例えばワード：マイクロソフト社の商標名）によって作成されたファイルをユーザが指定するプリンタの機種言語に変換する作業がなされ、その変換された機種言語形式の印刷情報がＬＡＮに出力され、プリントサーバを介して指定機種のプリンタに送られる。この動作がネットワークに接続された各パソコンから実行される。各パソコンから送信されるプリント情報はユーザが指定する機種の言語となっており、これらがすべてプリントサーバに集められてもここで管理者が内容の確認をしようとするとネットワーク環境において使用されているすべてのプリンタ機種の言語に対応できる機能を備えていなければならない。それを画面上で印刷形態のイメージ形態で確認をしようとすれば、それぞれの機種に対応したＲＩＰ（Raster Image Processor）をすべて備える必要があり、設備的に大きな負担となる。
【０００４】
そのような環境の中で、本出願人は各パソコンから各機種毎の言語である印刷情報と共にテキスト情報を送信し、センターでこれをモニターできるシステムを提案し先に特許出願（特許文献１）をした。この技術は特に、テキスト情報の中から機密情報と関連が深いキーワードを特定し、抽出しておく機能を備えている点に特徴がある。このシステムではセンターで管理者が必要に応じてテキスト情報から、印刷内容をディスプレイ上に表示し目で確認することができるのであるが、プリンタで印刷されるイメージそのものをディスプレイ上に表示する機能までは備えてない。したがって、文書中の表であるとか画像であるとかが拾えなかったり、印刷イメージそのものを表示することができないという問題が残る。
【０００５】
各パソコンから各機種毎の言語である印刷情報に替えてイメージ情報をネットワークに送信することについては特許文献２にその記述を見ることができる。この発明はシステムスプーラを用いてプレビュー表示を実現することを目的としたもので、アプリケーションにより文書印刷が指示されると、文書データがＥＭＦスプールファイルにスプールされると同時にプレビューアが起動され、プリントプロセッサに対して印刷イメージ生成要求を発行する。プリントプロセッサは、プレビュー表示対象のデータをＥＭＦスプールファイルから読み出し、プリンタグラフィックドライバにより表示サイズのイメージデータを生成させ、そのイメージデータファイル名をプレビューアに通知する。プレビューアは通知されたイメージデータを表示するというものである。クライアント計算機で動作するアプリケーションが作成した文書等の印刷用データを、ＧＤＩを通じてサーバ計算機のＥＭＦスプールファイルに一時保持し、これをサーバ計算機によりビットマップデータに変換する。この変換されたビットマップデータをサーバ計算機からプリンタに供給して印刷するよう構成されている。この発明はビットマップへの変換をユーザパソコンの他にサーバにおいて行うことも提示しているが、この技術は送信するイメージデータをプリントグラフィックドライバーによって表示サイズのイメージデータとすることに主眼がおかれたものである。
【特許文献１】特願２００８−２１３６３３号「機密情報プリント安全管理システム」の明細書  平成２０年８月２２日出願
【特許文献２】特開２００３−１６７７２１号公報  「印刷制御装置及び方法」  平成１５年６月１３日公開
【発明の開示】
【発明が解決しようとする課題】
【０００６】
本発明の課題は、複数機種のプリンタがプリントサーバを介してネットワーク接続されている環境において、ユーザが各パソコンから実行する印刷の内容を管理者が中央で印刷イメージ形態でモニターできる機能を、従来環境に大きな設備変更を伴わずまたユーザにも従来システムとの差異を意識させずに実現できるシステムを提供することにある。
【課題を解決するための手段】
【０００７】
本発明のプリント情報安全管理システムは、複数のパソコンと複数のプリンタがプリントサーバを介してネットワーク接続された環境において、通常の印刷指令信号を受けると、アプリケーションによって作成されたファイルについて特定機種の印刷情報に変換する手段の動作と並行して印刷イメージに変換する手段と、前記印刷情報と共に該印刷イメージ情報をパッケージデータとして送信する機能を前記複数のパソコンに備えるものとした。
本発明のプリント情報安全管理システムは、管理者用のパソコンがプリントサーバに接続され、該プリントサーバに送信された前記印刷イメージ情報を拾ってモニター表示できる機能を備えるようにした。
また、本発明のプリント情報安全管理システムは、プリントサーバに印刷履歴情報を記録蓄積する蓄積部が接続され、管理者用のパソコンは前記プリントサーバに接続された印刷履歴情報蓄積部から前記印刷イメージ情報を拾うように構成した。
また、本発明のプリント情報安全管理システムは、ネットワーク接続されたパソコンに印刷情報と印刷イメージ情報に加え、テキスト情報をセットで送信する機能を備えたものとし、そのテキスト情報はファイル全文及び／又はキーワード抽出情報であるように構成するものとした。
また、本発明のプリント情報安全管理システムは、プリントサーバは送信されてきた印刷情報が所定頁数を越える場合には複数のプリンタに印刷ジョブを分配させるスプール機能を備えたものであって、指定されたプリンタと機種の異なるプリンタにはイメージ情報を送信するものとした。
【発明の効果】
【０００８】
本発明のプリント情報安全管理システムは、通常の印刷指令信号を受けると、アプリケーションによって作成されたファイルについて印刷情報に変換する手段の動作と並行して印刷イメージに変換する手段と、前記印刷情報と共に該印刷イメージ情報をセットで送信する機能をパソコンに備えているので、管理者は印刷情報と共に送信されてきた印刷イメージ情報を利用して、各プリンタ機種毎のＲＩＰを備えることなく通常のパソコンで印刷内容をモニターすることができる。すなわち、従来のネットワークプリントシステムに何らの変更を加えることなく、パソコン内に付随機能を備えるだけでユーザによって選択されたプリント機種の如何に関わらず印刷内容のモニターやプリントアウトが可能になる。すなわち、ユーザが各パソコンから実行する印刷の内容を管理者が中央で印刷イメージ形態でモニターできる機能を提供できるし、文書が多数頁にわたるようなときプリンタサーバにおいて特定されたプリンタに限らず機種の異なる他のプリンタにもジョブを分配して印刷を実行することが可能となる。
また、本発明のプリント情報安全管理システムは、プリントサーバにおけるスプローラから前記送信された印刷イメージ情報を拾うように構成されているので、ユーザが従来通りの操作で通常のプリント作業を実行する間に何らの妨げも違和感もない状態で、管理者は必要に応じてリアルタイムのモニターが実行できる。
また、本発明のプリント情報安全管理システムは、プリントサーバに接続された印刷履歴情報蓄積部から前記送信された印刷イメージ情報を拾うように構成されているので、過去の印刷情報に遡ってチェックが必要となった場合にも、日時やファイル名或いはユーザ名などの書誌的情報を元に検索して特定される印刷内容をイメージ表示して確認することができる。
また、ネットワーク接続されたパソコンに印刷情報と印刷イメージ情報に加え、テキスト情報をセットで送信する機能を備えたものとした本発明のプリント情報安全管理システムにあっては、管理者は該テキスト情報についてキーワード検索を実行して該当した文書について画像表示して内容の確認を行うといったことが可能となる。また、テキスト情報が予め登録されているワードを抽出したキーワード抽出情報である形態を採った場合には機密情報である確率の高いファイルについての情報が担保されるので、検索が容易となる。また、安全管理の必要度がそれほど高くないケースではファイル全文ではなく、このキーワード抽出情報のみを送信する形態を採ることもでき、その場合には送信情報量や記憶容量をコンパクトに抑えることができる。
【発明を実施するための最良の形態】
【０００９】
本発明に係るプリント情報安全管理システムの実施形態について以下に説明する。本実施形態の組織内プリントシステムは図４に示した従来のプリントシステムをそのまま使うものとし、図１に示すように中央のプリントサーバ４には管理部署の管理者用パソコンＭＰＣと、印刷情報の他文書の特定情報、印刷日時及びユーザ特定情報を含む情報を蓄積する印刷履歴情報蓄積部５を接続する形態を採るものとした。またこの実施形態で用いるパソコンはオペレーティングシステムとしてＭｉｃｒｏｓｏｆｔ Ｗｉｎｄｏｗｓ（登録商標）を搭載したものとして説明する。
【００１０】
ネットワーク接続された本発明のパソコンは基本的に印刷情報と共に印刷イメージ情報をセットで送信する機能を備えたものであるが、ユーザ用パソコンの機能説明図である図２と動作フローを示した図３を参照しながらその動作について詳細に説明する。ユーザーがパソコンＰＣiのアプリケーション（例えば、Ｍｉｃｒｏｓｏｆｔ Ｗｉｎｄｏｗｓ(登録商標)  仕様のワードなど）によって作成した文書を印刷する場合、当該アプリケーションを起動させ、ワークエリアに当該文書を開くか作成し、印刷指令を画面上でクリックするなりして実行する。すると、パソコンＰＣiは使用するプリンタの機種を確認してくるので、それを特定（一般にはデフォルトにしたがって自動設定であることが多い）するとプリントドライバー１によって、アプリケーション言語が当該プリンタ機種の言語に変換される。以上は従来からの通常プリント動作である。本発明ではこの印刷指令が実行されたことを受け、その印刷指令をトリガ信号としてイメージ変換ソフトであるＧＤＩ（Ｗｉｎｄｏｗｓ(登録商標)のグラフィクスエンジン）２を作動させ、頁毎の印刷イメージ情報を作成する。そしてプリンタ言語情報に変換された印刷情報と前記印刷イメージ情報がセットされた１つのパッケージ情報３として当該パソコンからＬＡＮ等によって接続されているネットワークを通してプリントサーバ４に送信される。本発明の１つの特徴点は、ネットワーク接続されたユーザ用パソコンＰＣiの印刷指令をトリガ信号として頁毎の印刷イメージ情報を作成し、プリンタ言語情報に変換された印刷情報と共に前記印刷イメージ情報がセットされた１つのパッケージ情報としてネットワークへ送信する機能を備えるようにした点にある。この機能はユーザにとっては何らの負担をかけるものではなく、印刷指令を実行する通常の作業の中で実施され、進めることができる。しかも、ユーザ用パソコンＰＣiには特別なハードを付設する必要もなく、ソフト面だけで実現できる機能である。
【００１１】
印刷情報と共に印刷イメージ情報がセットされた１つのパッケージ情報３はネットワークを経てプリントサーバ４に送られ、そのスプーラにスプールされる。本発明のプリント情報安全管理システムでは図１に示すようにプリントサーバ４には管理部署の管理者用のパソコンＭＰＣが接続されており、管理者は必要に応じて印刷情報の内容を確認することができる。ユーザが印刷しようとする文書の印刷ログ情報中の文書特定情報、印刷日時及びユーザ特定情報などから、確認をしたいと思う文書を特定し管理者用のパソコンＭＰＣのディスプレイにその印刷イメージを表示させて確認することができる。印刷情報はプリントを実行する各プリント機種の言語の様式でできており、多様な様式でプリントサーバに送られているが、それとセットされた形態でイメージ情報も送られているので、プリンタ言語が様々であってもこのイメージ情報を用いることにより、各機種の印刷情報を印刷イメージで表示させ、モニターすることができる。イメージ情報を持たない従来のネットワークプリントシステムでこの機能を備えるためには、中央部署に各機種毎のイメージ変換をおこなうＲＩＰを備えておかなければならず、設備的負担が大きなものとなるところである。しかし、本発明のシステムでは各端末パソコンでイメージ情報を作成して印刷情報と共に送信されてくるので、特別のハードを必要とせず、管理者はパソコンＭＰＣでイメージをモニターすることができる。
【００１２】
管理者が確認できる印刷情報はプリントサーバ４のスプール情報ばかりではない。印刷履歴を保存する、過去の印刷データを保存しておくデータ蓄積部５を備えておくことで、管理者は過去データについても文書の特定情報、印刷日時及びユーザ特定情報などを基に当該データ蓄積部５にアクセスすることにより、特定印刷情報の内容を確認することができる。
【００１３】
銀行、金融、証券、商品先物取引、不動産業界などにおける顧客情報、また、調査、コンサルト、教育業界などにおける個人情報および守秘義務情報、および、企業における技術情報、経営情報などを扱う分野においてプリント情報の安全管理システムを実現するより好適な形態を想定すれば、印刷情報と共に印刷イメージ情報をセットで送信する機能に加え、テキスト情報をセットにしたパッケージデータとする形態が望ましい。情報管理を強く求められる業種では過去データについても確認調査することが必要とされる。そのような場合、過去の履歴情報が蓄積されているデータベースから、特定文献を効率よく検索するには検索キーとなる情報が盛り込まれていることが重要である。本出願人が先に提案した特許文献１に開示したデータ構造は本発明においても有効に利用できる。即ち、データ構造イメージは例えば、当該文書を特定する文書ＩＤ，タイトル、印刷アプリ名、ＪＯＢ-ＩＤ，プリンタ名称、ドキュメント名称、ユーザＩＤ、印刷開始日時、印刷枚数、印刷コンピュータ名、ＩＰアドレス、ドライバ名称、カラー／モノクロ、ページ数、両面有無、用紙サイズ、解像度、用紙方向、割付面数、実際の印刷枚数といった印刷ログ情報と共に印刷文書内容のテキスト情報とを含むものとする。印刷内容のテキスト情報があれば、検索したい文書と特定するキーワードを設定し、スプロールされた情報に限らず、印刷履歴データベースからもサーチエンジンで検索してピックアップすることが可能であり、ヒットした文献を必要に応じてイメージ表示させて確認をすることができる。安全管理上極めて便利となる。
【００１４】
また、本発明のシステムにおいて先の特許文献１に開示した抽出テキスト情報を備えることも有効である。すなわち、機密文書によく使われる文言を予めキーワードとしてパソコンに登録しておき、印刷文書内にその文言が使用されていた場合、その文言を抽出して抽出テキスト情報として印刷情報とセットにして送信するのである。抽出テキスト情報があることだけで文書の機密性の高さが推定できるし、登録されたキーワードについては全文のテキスト検索をする必要が無く、この抽出テキスト情報部分だけの検索で文献の特定ができるので、システムの作業負担を軽くすることができる。また、データベースの大型化やシステムのワークロードを押さえたい事情の中ではイメージデータについても全頁についてではなく、例えば第１頁と頁数に応じたサンプルページといった代表頁のみをデータとして備える形態を採ることも可能である。この場合イメージのない頁について確認したいときはテキスト情報から読み出して内容を確認することで補完する。これらのことは要求される安全管理のレベルや設備のコンパクト化等の問題との兼合いで適宜選択される設計事項である。
【実施例１】
【００１５】
今、ネットワーク接続されたユーザのパソコンが、印刷指令が実行されたとき、アプリケーション形式で作成された文書ファイルがプリントドライバーによって特定されたプリンタ機種の言語様式の印刷情報に変換されると共に、ＧＤＩが作動して印刷内容全文をページ毎のイメージに変換し、印刷内容全文をテキスト情報に変換し、予め登録されていたキーワードを抽出して抽出キーワード情報を作成し、前記の印刷情報、イメージ情報、テキスト情報、抽出キーワード情報をセットとし１つのパッケージ情報として送出する機能をそなえたものとして、本実施例における作動例を以下に説明する。ユーザがアプリケーション形式で作成された文書を印刷したいと思い印刷指令が実行すると、ユーザが使用しているパソコンＰＣiは上記のような機能を備えているので、プリンタ機種の言語様式の印刷情報に変換されると共に、ＧＤＩ２が作動して印刷内容全文をページ毎のイメージに変換し、印刷内容全文をテキスト情報に変換し、予め登録されていたキーワードを抽出して抽出キーワード情報を作成し、前記の印刷情報、イメージ情報、テキスト情報、抽出キーワード情報をセットとし１つのパッケージ情報３としてネットワークに送出する。このパッケージ情報を受けたプリンタサーバ４はスプローラに一時この情報を蓄積し、特定されたプリンタＰiに印刷情報を送信するとともに、送信した印刷情報とセットとなったパッケージ情報を印刷履歴蓄積部に順次蓄積する。
【００１６】
管理部署の管理者はその状況において確認が必要と思われる文書に対応したキーワードを設定する。そのキーワードがパソコンにおいて登録されていた文言である場合には検索領域は抽出キーワード情報に限定できるが、それ以外の文言である場合はテキスト情報を検索領域に設定する。プリントサーバ４に送られてきた印刷パッケージ情報の中で当該キーワードが使われている文書が見つかったとき、管理者用パソコンＭＰＣは当該文献の印刷ログ情報から文書特定情報、ファイル名、印刷日時及びユーザ特定情報、抽出テキスト情報を管理者用のパソコンＭＰＣのディスプレイ上に表示させる。管理者がそれを見て確認をしたいと思う文書であったときはイメージ表示キー選択すると、その印刷イメージを表示させて内容を確認することができる。もし、当該文書の印刷が不適当または問題があるかもしれないと判断されたときは、印刷中止キーを押すことによりプリンタの印刷動作を停止させ、ユーザと連絡を取って印刷の是非を確認することができる。特許文献１の技術では内容をテキスト情報表示によって確認を行うものであったが、本発明では如何なる機種のプリンタが選択された文書であっても、イメージ情報がセットとなって送られているので、印刷イメージ形態で表示させることができる。この点が本発明の大きな改善点の一つである。
【００１７】
また、機密文書がプリントされ頒布されてしまったという事故が発覚した場合、当該文書が何時如何なる人物によって印刷されたかという調査が必要となる。この様な場合には管理者は当該文書を特定する条件を絞り、印刷履歴情報蓄積部５内の印刷履歴データベースを検索する。一般的方法は当該文書に使われている文言を拾い、キーワードとして設定し検索する方法が採られる。検索領域はテキスト情報となるが、文書内容から時期が限定されるときは印刷時期の条件を付けて検索を実行することができる。上記の条件によってヒットした文献特定情報（ＩＤ）の一覧表示がなされるので、その文献特定情報をクリックするなりして特定することにより、文献毎に順次イメージ表示がなされる。管理者はディスプレイ上に表示された文書内容を確認する。該当文献が見つかったなら、当該文献の印刷ログ情報からファイル名、印刷日時、ユーザ特定情報、印刷枚数、頁数、プリンタ名称を含む項目を表示させる。この情報を元にユーザへのヒアリングを始めとする事故究明が行われ、今後の対策に役立てることができる。
【実施例２】
【００１８】
また、本発明のプリント情報安全管理システムでは、ネットワーク接続された複数のパソコンPC1,PC2,‥‥PCNに印刷情報と共に印刷イメージ情報をパッケージ信号として送信する機能を備えたことに対応して、プリントサーバ４には送信されてきた印刷情報が所定頁数を越える場合には複数のプリンタに印刷ジョブを分配させるジョブ管理機能を備えたものであって、指定されたプリンタＰiと機種の異なるプリンタにはイメージ情報を送信するものを提示する。この実施例では１００頁を閾値として頁数を設定し、当初の５０頁分の印刷情報はユーザが指定したプリンタＰiに実行させ、次の５０頁分は前記プリンタＰiに近接配置された他のプリンタに、残りの頁分は指定されたプリンタＰiとその次に近接配置された他のプリンタを指定してジョブを実行させる。その際ジョブを分配されたプリンタが如何なる機種のものであってもプリントサーバ４はイメージ情報を送るものとする。印刷情報の頁数がより多い場合、以下、５０頁毎に他のプリンタにジョブを分配するものとし、プリンタの指定基準は指定されたプリンタに近い順番とされる。
この様に、本発明のプリント情報安全管理システムでは、ネットワーク接続された複数のパソコンに印刷情報と共に印刷イメージ情報をパッケージ信号として送信する機能を備えたものであるから、従来の送信される印刷情報が特定プリンタ言語様式の印刷情報のみであることに基づく制限が解除され、ネットワーク上のあらゆる部署でモニターやプリントアウト動作が可能となる。このことによって、ユーザの要請に応え多様な利用法が提供できるものである。
【図面の簡単な説明】
【００１９】
【図１】本発明のシステムにおけるプリントサーバと管理者用パソコンの接続関係を示す図である。
【図２】本発明のユーザ用パソコンの作動を説明する図である。
【図３】ユーザが印刷指令を実行した際の動作フローを説明する図である。
【図４】従来のネットワーク接続されたプリンタシステムの接続形態を説明する図である。
【符号の説明】
【００２０】
１  プリントドライバ                ２  ＧＤＩ
３  パッケージデータ                ４  プリントサーバ
５  印刷履歴情報蓄積部              PC1,PC2,‥‥PCN  ユーザ用パソコン
Pa,Pb,‥‥Pi  プリンタ              MPC  管理者用パソコン
【図１】
2010140226.tif 000003
【図２】
2010140226.tif 000004
【図３】
2010140226.tif 000005
【図４】
2010140226.tif 000006